(57)【要約】  【課題】  焼却炉の解体等、処理をする際にダイオキシン等の有害物質が発生するような設備を処理するような仮設構造物に装着するための養生シートセットと、その養生シートセットが装着される仮設構造物に関し、焼却炉等の解体作業に際して設置される仮設構造物の立体的作業空間を覆うシートからのダイオキシン類の漏洩を極力防止し、ひいてはダイオキシン類による大気の二次汚染防止の実効を図ることを課題とする。  【解決手段】  焼却炉の解体等、有害物質発生設備処理用の仮設構造物に装着される複数の養生シートからなる養生シートセットであって、前記仮設構造物の天面に設置される天面用シートと、該仮設構造物の側面に設置される複数の側面用シートと、前記天面用シートの端部と天面用シートの端縁間、側面用シートの端部と側面用シートの端部間、又は天面用シートの端部と側面用シートの端部間に架け渡して装着される複数のカバーシートとからなることを特徴とする。【選択図】  図１
2006089987.tif 000002
【特許請求の範囲】
【請求項１】
焼却炉の解体等、有害物質発生設備処理用の仮設構造物に装着される複数の養生シートからなる養生シートセットであって、前記仮設構造物の天面に設置される天面用シートと、該仮設構造物の側面に設置される複数の側面用シートと、前記天面用シートの端部と天面用シートの端部間、側面用シートの端部と側面用シートの端部間、又は天面用シートの端部と側面用シートの端部間に架け渡して装着される複数のカバーシートとからなることを特徴とする有害物質発生設備処理用の仮設構造物における養生シートセット。
【請求項２】
カバーシートと、天面用シート又は側面用シートとの装着が、面ファスナーを介してなされる請求項１記載の焼却炉等の有害物質発生設備の解体用仮設構造物における養生シートセット。
【請求項３】
請求項１又は２記載の養生シートセットが装着される焼却炉等の有害物質発生設備の解体用仮設構造物。
【発明の詳細な説明】
【技術分野】
【０００１】
本発明は、焼却炉の解体等、処理をする際にダイオキシン等の有害物質が発生するような設備を処理するような仮設構造物に装着するための養生シートセットと、その養生シートセットが装着される仮設構造物に関する。
【背景技術】
【０００２】
一般に、焼却炉のような廃棄物焼却施設においては、焼却炉本体、煙道設備、除塵設備、排煙冷却設備、洗煙設備、排水処置設備、廃熱ボイラー等が具備されているが、これらの各設備がダイオキシン類に汚染されているおそれがあり、またこれらの設備の解体に伴い、ダイオキシン類が作業場全体に拡散するおそれがある。
【０００３】
このため、廃棄物焼却施設の解体工事を行う際には、解体作業場の屋内、屋外等へのダイオキシン対策に万全を記すとともに、工事関係者（作業員）の安全対策を徹底することが求められている。従って、廃棄物焼却施設の解体工事に際して、ダイオキシン対策をどのように講じるかは重要な課題であり、このような課題を解決するために、従来より種々の特許出願がなされている。
【０００４】
たとえば、下記特許文献１に係る発明は、周壁が外側の金属材と内側の耐火材とからなる焼却炉装置を解体する解体方法であって、金属材の所定部分に冷却剤を接触させその部分の金属製外壁を冷却して耐衝撃強度を低下させる工程と、その冷却した部分を衝撃力により破壊し金属材とともに耐火材を破壊する工程とを備えた焼却炉装置の解体方法である。
【特許文献１】特開２００２−１１５８２１
【０００５】
また、下記特許文献２に係る発明は、焼却施設の部分で、燃焼ガスと接触する接触部を燃焼用バーナを用いて加熱して接触部のダイオキシン浄化作業を行い、次いで作業環境および接触部から採取された付着物についてのダイオキシン類分析を含む分析作業を行い、その後に焼却施設の解体作業を行う焼却施設の解体作業方法である。
【特許文献２】特開２００３−１９４３１２
【０００６】
さらに、特許文献３に係る発明は、焼却設備解体工事前に、予めダイオキシン類等の有害物質の付着箇所に、マイクロ波又は紫外線を照射し、ダイオキシン類を分解除去した後に焼却設備解体工事を行う焼却設備の解体・改造工事におけるダイオキシン類の除去方法である。
【特許文献３】特開２００４−１６３０７１
【０００７】
しかしながら、特許文献１に係る発明では金属材に接触させる冷却剤を必要とし、特許文献２に係る発明では加熱する燃焼用バーナを必要とし、特許文献３に係る発明では、マイクロ波や紫外線を照射する装置を必要とする等、いずれも特別な装置や薬剤等を必要とし、作業のためのコストが高くつくこととなっていた。しかも解体作業場での作業環境におけるダイオキシン類の一次汚染を防止できたとしても、その解体作業場の作業環境の外部に飛散して大気中に放散されることによる、いわゆるダイオキシン類の二次汚染防止については考慮が払われていないのが現状である。
【０００８】
一方、焼却炉等の解体作業に際しては、解体する焼却炉炉体を取り囲むように、足場用パイプ等の剛性材料を用いて構造体を構築して仮設構造物とし、この仮設構造物の内部で解体処理を行っていることが、たとえば下記特許文献４の出願明細書の従来技術である〔０００３〕等に記載されている。より具体的には、この特許文献４の〔０００３〕には上記のようなダイオキシン類の二次汚染防止の観点から、上記足場用パイプ等の剛性構造体及びこの構造体を覆う気密シートで覆うことが開示されている。
【特許文献４】特開２００３−２２２３１１号公報
【０００９】
しかしながら、上記剛性構造体等で構成される仮設構造物は、立体的作業空間を有するのに対し、このような立体的作業空間を覆うための気密シートはあくまで平面的構造物である。従って、このような気密シートで仮設構造物の立体的作業空間を完全に密閉した状態で覆うのは、理論的にはともかく、現実には困難である。つまり、仮設構造物が立体的作業空間を有する以上、その仮設構造物を１枚のシートで覆うのは現実には不可能であり、立体的作業空間の複数の平面部分に対してそれぞれ複数のシートを配置する必要がある。
【００１０】
実際、このようなシートのパイプ等への取り付けは、図１９に示すように、そのシート２０の端部に穿設され、ハトメ１７が装着された孔１６に紐材１８を装入するとともに、その紐材１８をパイプ８に結着する等の手段によって行われていたが、複数のシート２０、２０が、それぞれ紐材１８を結着することでパイプ８等に取り付けられるので、紐材１８が結着されるパイプ８近傍のシート２０とシート２０の間には、図１９に示すようにどうしても隙間１９が生ずることとなる。このため、その隙間からダイオキシン類が漏洩するおそれがあるという、二次汚染防止の観点からは致命的な問題が生じていた。
【発明の開示】
【発明が解決しようとする課題】
【００１１】
本発明は、このような問題を解決するためになされたもので、焼却炉等の解体作業に際して設置される仮設構造物の立体的作業空間を覆うシートからのダイオキシン類の漏洩を極力防止し、ひいてはダイオキシン類による大気の二次汚染防止の実効を図ることを課題とする。
【課題を解決するための手段】
【００１２】
本発明は、このような課題を解決するために、焼却炉の解体等、有害物質発生設備処理用の仮設構造物における養生シートセットと、その養生シートセットが装着される仮設構造物としてなされたもので、養生シートセットに係る請求項１記載の発明は、焼却炉の解体等、有害物質発生設備処理用の仮設構造物に装着される複数の養生シートからなる養生シートセットであって、前記仮設構造物の天面に設置される天面用シートと、該仮設構造物の側面に設置される複数の側面用シートと、前記天面用シートの端部と天面用シートの端部間、側面用シートの端部と側面用シートの端部間、又は天面用シートの端部と側面用シートの端部間に架け渡して装着される複数のカバーシートとからなることを特徴とする。
【００１３】
また請求項２記載の発明は、請求項１記載の有害物質発生設備の仮設構造物における養生シートセットにおいて、カバーシートと、天面用シート又は側面用シートとの装着が、面ファスナーを介してなされることを特徴とする。
【００１４】
さらに仮設構造物に係る請求項３記載の発明は、請求項１又は２記載の養生シートセットが装着されることを特徴とする。
【発明の効果】
【００１５】
本発明においては、上述のように、天面用シートの端部と天面用シートの端部間、前記仮設構造物の側面に設置される側面用シートの端部と側面用シートの端部間、又は前記天面用シートの端部と前記側面用シートの端部間に、カバーシートを架け渡して装着することができ、従って、仮設構造物内で焼却炉等の有害物質発生設備を解体等する際に発生するダイオキシン等の有害物質が、上記のような天面用シート相互間の隙間、側面用シート相互間の隙間、又は天面用シートと側面用シート間の隙間から漏洩するおそれがなく、ダイオキシン等の有害物質による二次汚染をより確実に防止することができるという効果がある。
【００１６】
また、上記のようなカバーシートと、天面用シート又は側面用シートとの装着を、面ファスナーを介して行なうようにした場合には、解体工事現場でのカバーシートの装着を簡易に行なうことができるという効果がある。
【発明を実施するための最良の形態】
【００１７】
以下、本発明の実施形態について図面に従って説明する。
本実施形態の養生シートセットは、たとえば図１３乃至図１６に示すような焼却炉の解体用仮設構造物に装着されるものであり、解体用仮設構造物の天面に装着される２種類の天面用シート１ａ、１ｂと、２種類の側面用シート２ａ、２ｂと、該天面用シート１ａ、１ｂや側面用シート２ａ、２ｂの隣接する端部間を覆うためのカバーシート３とからなるものである。
【００１８】
天面用シート１ａ、１ｂ及び側面用シート２ａ、２ｂは、すべて略長方形状に形成されており、またポリエチレンやポリプロピレン等のポリオレフィン系合成樹脂で構成されている。２種類の天面用シート１ａ、１ｂのうち、１方の天面用シート１ａには、図１に示すように４辺にそれぞれカバーシート３，…が装着されている。このカバーシート３も、ポリオレフィン系合成樹脂で構成されている。
【００１９】
この４枚のカバーシート３は、図２及び図３に示すように、その重ね合わせ部４において前記天面用シート１ａの４辺の端部に熱溶着されている。また、それぞれのカバーシート３の重ね合わせ部４と反対側の端部裏面側には、図１乃至図３に示すように、面ファスナー５が設けられている。また、天面用シート１ａの短辺側の端部及び長辺側の端部は折り返されて、それぞれ折り返し部６，６，７，７が形成されている。折り返し部６，６，７，７には、図２及び図３には示していないが、多数の孔が穿設され、その孔にハト目が装着されている。
【００２０】
また、他方の天面用シート１ｂには、図４に示すように３辺にそれぞれカバーシート３，…が装着されている。この３枚のカバーシート３は、図５及び図６に示すように、その重ね合わせ部４において前記天面用シート１ｂの３辺の端部に熱溶着されている。また、それぞれのカバーシート３の重ね合わせ部４と反対側の端部裏面側には、図５及び図６に示すように、面ファスナー５が設けられている。さらに、カバーシート３が装着されていない長辺側の端部の表面側には、図４及び図５に示すように、面ファスナー５が設けられている。
【００２１】
天面用シート１ｂの短辺側及び長辺側の端部にも、天面用シート１ａの場合と同様に折り返し部６，６，７，７が形成されて、多数の孔が穿設され、ハト目が装着されている。さらに２種類の側面用シート２ａ、２ｂのうち、１方の側面用シート２ａには、図７に示すように長辺側の２辺にカバーシート３，…が装着されている。このカバーシート３の装着も、図８に示すように重ね合わせ部４で熱溶着されることでなされており、この点で天面用シート１ａ、１ｂの場合と同様である。
【００２２】
また側面用シート２ａの長辺側の一方の端部の表面側には、図７及び図９に示すように、面ファスナー５が設けられている。この面ファスナー５が設けられている部分は、天面用シート１ａ、１ｂに取り付けられる側、すなわち上側の部分となる。さらに、側面用シート２ａの長辺側の他方の端部には、上記のようなカバーシート３や面ファスナー５は設けられていない。
【００２３】
さらに、他方の側面用シート２ｂには、一方の長辺側にカバーシート３が装着されている。このカバーシート３の装着も、図１１に示すように重ね合わせ部４で熱溶着されることでなされている。また側面用シート２ｂの他方の長辺側端部の表面側、及び一方の短辺側端部の表面側には、図１０乃至図１２に示すように面ファスナー５が設けられている。      
【００２４】
次に、焼却炉の解体用仮設構造物内で焼却炉の解体を行なうに際し、上記のような天面用シート１ａ、１ｂ及び側面用シート２ａ、２ｂからなる養生シートセットを焼却炉の解体用仮設構造物に装着する場合について説明する。
【００２５】
先ず、シート装着の対象となる一例としての焼却炉の解体用仮設構造物９を図１３乃至図１６に示す。図１３は解体用仮設構造物９を平面から見た状態の図であり、同図にも示されているように、四方の周囲にパイプ８，…が配設されているとともに、その周囲の短辺側のパイプ８と平行に、途中部分にもパイプ８，…が配設されている。尚、図１３において、１０は焼却炉を示す。
【００２６】
図１４は解体用仮設構造物９を正面から見た状態の図であり、同図にも示されているように、パイプ８は、縦方向（上下方向）にも多数配設されているおり、さらに斜め方向にも多数配設されている。図１５は解体用仮設構造物９を側面から見た状態の図であり、同図においても、パイプ８が縦方向や斜め方向に多数配設されていることが示されている。      
【００２７】
図１６は図１３のＩ−Ｉ線断面図であり、この図１６においては焼却炉１０を解体するための作業空間１１が確保されていることが示されている。すなわち、多数のパイプ８が縦横及び斜めの種々の方向に配設されていることが図１３乃至図１５に示されていたが、これらはいずれも解体用仮設構造物９の周辺部であり、中央部分においては図１６のように十分な作業空間が確保されているのである。
【００２８】
そして、このような解体用仮設構造物９の天面部に前記天面用シート１ａ、１ｂが装着され、解体用仮設構造物９の四方の側面部に、前記側面用シート２ａ、２ｂが装着されることとなる。
【００２９】
仮に、解体用仮設構造物９を図１３及び図１４に示す４つのブロック部分１２、１３、１４、１５に分割したと仮定すると、ブロック部分１２の天面部には図１に示す天面用シート１ａが配置して装着され、ブロック部分１３及び１４の天面部には、図４に示す天面用シート１ｂがそれぞれ配置して装着され、ブロック部分１５の天面部には、図４に示す天面用シート１ｂであって、前記ブロック部分１３及び１４に装着された天面用シート１ｂよりもやや幅の狭いものが配置して装着される。つまり、１枚の天面用シート１ａと、３枚の天面用シート１ｂとが使用されることとなるのである。
【００３０】
さらに、上記のような天面用シート１ａ、１ｂに対応して、解体用仮設構造物９の側面部には、各ブロック部分１２、１３、１４、１５の寸法に応じて、図７に示すように側面用シート２ａと図１０に示す側面用シート２ｂとが適宜配置して装着されることとなる。この場合、図７に示す側面用シート２ａ、或いは図１０に示す側面用シート２ｂとは、カバーシート３や面ファスナー５を左右反対側の位置に取り付けた側面用シート２ａ、２ｂも適宜用いられることとなる。
【００３１】
そして、天面用シート１ａと天面用シート１ｂとの端部間を接合する場合には、図１７に示すように、紐材１８を一方の天面用シート１ａとパイプ８とに結着するとともに、他方の天面用シート１ｂとパイプ８とにも結着する紐材１８を結着する。尚、図１７に示すように、天面用シート１ａと天面用シート１ｂの端部側には、それぞれ孔１６が穿設され、その孔１６にはハトメ１７が装着されており、前記紐材１８は、そのハトメ１７が装着された孔１６に挿入され且つパイプ８に巻回されることにより、パイプ８に結着されて固定されるのである。
【００３２】
さらに、カバーシート３の一端側の裏面側に設けられている面ファスナー５を、他方の天面用シート１ｂの表面側に設けられていた面ファスナー５に接着する。このとき、カバーシート３の一端側は、重ね合わせ部４において一方の天面用シート１ａに溶着されているので、上記のように一端側の面ファスナー５を他方の天面用シート１ｂの接着することで、一方の天面用シート１ａと他方の天面用シート１ｂとが連結されることとなるのである。
【００３３】
そして、このように一方の天面用シート１ａと他方の天面用シート１ｂとが連結されると、図１７に示すようにパイプ８の近辺における一方の天面用シート１ａの端縁と他方の天面用シート１ｂの端縁との間の隙間１９が、上記カバーシート３によって閉塞されることとなる。
【００３４】
すなわち、従来では、隣接する２枚のシートの端縁が紐材でパイプに結着されて固定されたとしても、その２枚のシートの端縁間にはどうしても隙間が生ずるので、その隙間からダイオキシン等が漏洩するおそれがあったが、本実施形態においては、上述のようなカバーシート３によって一方の天面用シート１ａの端縁と他方の天面用シート１ｂの端縁との間の隙間１９が閉塞されるので、その隙間１９からダイオキシン等が漏洩するおそれがなく、そのダイオキシン等が大気に放散されることによる、いわゆる二次汚染が確実の防止されることとなるのである。
【００３５】
この図１７のような隣接する２枚のシート間の連結構造は、側面用シートについても適用される。すなわち、ハトメ１７が装着された孔１６に紐材１８を挿入し、パイプ８に結着することで一方の側面用シート２ａの端縁と他方の側面用シート２ｂの端縁がパイプ８に連結され、さらに重ね合わせ部４において一方の側面用シート２ａに溶着されているカバーシート３の一端側裏面の面ファスナー５を、他方の側面用シート１ｂの表面側の面ファスナー５に接着するとで、一方の側面用シート２ａと他方の側面用シート１ｂとが連結されることとなる。
【００３６】
この場合においても、一方の側面用シート２ａと他方の側面用シート２ｂとの連結により、パイプ８の近辺における一方の側面用シート２ａの端縁と他方の側面用シート２ｂの端縁間の隙間１９が、上記カバーシート３によって閉塞されることとなり、その隙間１９からのダイオキシン等の漏洩が防止されることとなる。
【００３７】
さらに、天面用シート１ａと、側面用シート２ａ（２ｂ）との端縁間においても、同様の連結構造が得られることとなる。すなわち、図１８に示すように、ハトメ１７が装着された天面用シート１ａと側面用シート２ａ（２ｂ）の孔１６に紐材１８を挿入し、パイプ８に結着して固定し、さらにカバーシート３を天面用シート１ａと側面用シート２ａ（２ｂ）とに架け渡して装着する。
【００３８】
この場合には、カバーシート３の両端に面ファスナー５が設けられているとともに、天面用シート１ａと側面用シート２ａ（２ｂ）の端部側にも面ファスナー５が設けられており、カバーシート３の両端側の面ファスナー５が、それぞれ天面用シート１ａと側面用シート２ａ（２ｂ）の面ファスナー５に接着されることにより、天面用シート１ａと側面用シート２ａ（２ｂ）とが連結されることとなる。
【００３９】
このようにカバーシート３を介して天面用シート１ａと側面用シート２ａ（２ｂ）とが連結されると、図１８に示すようにパイプ８の近辺における天面用シート１ａの端縁と側面用シート２ａ（２ｂ）の端縁との間の隙間１９が、上記カバーシート３によって閉塞されることとなる。従って天面用シート１ａと側面用シート２ａ（２ｂ）間の隙間１９からも、ダイオキシン等が漏洩するおそれがないのである。
【００４０】
以上のように、本実施形態においては、天面用シート１ａと天面用シート１ｂの端部間の隙間１９、側面用シート２ａと側面用シート２ｂの端部間の隙間１９、及び天面用シート１ａと側面用シート２ａと２ｂの端部間の隙間１９のいずれが、カバーシート３によって覆われるため、これらのいずれの隙間１９の部分からもダイオキシン等が漏洩するのが防止されることとなる。
【００４１】
この結果、焼却炉の解体作業を解体用仮設構造物内で行う際に、その解体用仮設構造物の外部にダイオキシン等が漏洩するのが防止されるので、いわゆるダイオキシン等による二次汚染が好適に防止されることとなるのである。
【００４２】
尚、上記実施形態では、２種類の天面シート１ａ、１ｂと、２種類の側面シート２ａ、２ｂとで養生シートセットが構成されていたが、養生シートセットを構成する天面シートと側面シートの種類や枚数は上記実施形態に限定されるものではなく、その種類や枚数は問わない。たとえば天面シートは１枚のみで構成されていてもよい。
【００４３】
また、該実施形態では、天面用シート１ａ、１ｂや側面用シート２ａ、２ｂが、ポリエチレンやポリプロピレン等のポリオレフィン系合成樹脂で構成されていたが、天面用シート１ａ、１ｂや側面用シート２ａ、２ｂの材質も該実施形態のポリオレフィン系合成樹脂に限定されるものではない。ただし廃棄処理の際の環境破壊防止の観点からは、ポリ塩化ビニル樹脂以外のものを用いるのが好ましい。
【００４４】
さらに、天面用シート１ａ、１ｂや側面用シート２ａ、２ｂの形状も、該実施形態の略長方形状に限定されない。
【００４５】
さらに、上記実施形態では、カバーシート３の一端側を天面用シートや側面用シートに着脱自在に取り付ける手段として、面ファスナー５をカバーシート３と天面用シート又は側面用シートとの相互に対面する位置に設け、その対面する面ファスナー５を接着することでカバーシートを天面用シートや側面用シートに取り付けることとしたが、カバーシートの取り付け手段も該実施形態の面ファスナー５による手段に限定されるものではない。ただし、このような面ファスナー５を用いた場合には、解体工事現場でのカバーシートの装着を簡易に行なうことができるという利点がある。
【００４６】
さらに、カバーシート３の他端側を天面用シートや側面用シートに着脱不能に固着する手段として、上記実施形態では重ね合わせ部４での溶着による手段を採用したが、これ以外の手段、たとえば縫製することによる手段であってもよい。
【００４７】
さらに、養生シートセットを装着する対象物となる解体用仮設構造物の形態、構造等も、上記実施形態の図１３乃至１６に示すようなものに限定されない。
【００４８】
尚、本発明の養生シートセットは、上記のような焼却炉を解体する際の解体用仮設構造物に装着することを主眼とするものであるが、このような焼却炉の解体以外のもの、たとえば残留埋設農薬や青酸カリの処理作業を行う仮設構造物に適用することも可能である。      
【００４９】
すなわち、残留埋設農薬は、現在では有害物質として使用が禁止されている有機塩素化合物系の農薬がコンクリート構造物内に収容した状態で土中に埋設されているものであるが、これらを掘り起こして処理を行う場合に、やはりダイオキシン類の発生のおそれがある。しかし、上記のような仮設構造物を組み立て、上記のような養生シートセットを装着することで、上記実施形態の場合と同様に仮設構造物の外部へのダイオキシン類の漏洩を防止することができるのである。
【産業上の利用可能性】
【００５０】
本発明の養生シートセットは、焼却炉の解体等、処理をする際にダイオキシン等の有害物質が発生するような設備を処理するような仮設構造物に装着する用途に広く適用することができる。
【図面の簡単な説明】
【００５１】
【図１】一実施形態としての養生シートセットにおける天面用シートの概略平面図。
【図２】図１のＡ−Ａ線中間省略拡大断面図。
【図３】図１のＢ−Ｂ線中間省略拡大断面図。
【図４】他の天面用シートの概略平面図。
【図５】図４のＣ−Ｃ線中間省略拡大断面図。
【図６】図４のＤ−Ｄ線中間省略拡大断面図。
【図７】養生シートセットにおける側面用シートの概略平面図。
【図８】図７のＥ−Ｅ線中間省略拡大断面図。
【図９】図７のＦ−Ｆ線中間省略拡大断面図。
【図１０】他の側面用シートの概略平面図。
【図１１】図１０のＧ−Ｇ線中間省略拡大断面図。
【図１２】図１０のＨ−Ｈ線中間省略拡大断面図。
【図１３】焼却炉の解体用仮設構造物を模式的に示した概略平面図。
【図１４】同概略正面図。
【図１５】同概略側面図。
【図１６】図１３のＩ−Ｉ線断面図。
【図１７】天面シート相互間又は側面シート相互間の接合部分を示す要部拡大断面図。
【図１８】天面シートと側面シートの接合部分を示す要部拡大断面図。
【図１９】従来のシート接合部分を示す要部拡大断面図。
【符号の説明】
【００５２】
１ａ、１ｂ…天面用シート          ２ａ、２ｂ…側面用シート
３…カバーシート                  ５…面ファスナー
【図１】
2006089987.tif 000003
【図２】
2006089987.tif 000004
【図３】
2006089987.tif 000005
【図４】
2006089987.tif 000006
【図５】
2006089987.tif 000007
【図６】
2006089987.tif 000008
【図７】
2006089987.tif 000009
【図８】
2006089987.tif 000010
【図９】
2006089987.tif 000011
【図１０】
2006089987.tif 000012
【図１１】
2006089987.tif 000013
【図１２】
2006089987.tif 000014
【図１３】
2006089987.tif 000015
【図１４】
2006089987.tif 000016
【図１５】
2006089987.tif 000017
【図１６】
2006089987.tif 000018
【図１７】
2006089987.tif 000019
【図１８】
2006089987.tif 000020
【図１９】
2006089987.tif 000021